(57)【要約】  【課題】  回復動作のための装置追加を抑えつつ、簡単な構成でしかもユーザの手を煩わせることなく、正圧パージ方式によるノズルの回復動作を実現する。  【解決手段】  通常時は押圧ローラ１４が退避位置にあり、メッシュプレス部材３２は静止状態の位置にある（第１ＳＴＥＰ）。メッシュプレス部材３２は、複数のインク流路（穴）がメッシュ状に形成された部材である。回復動作が開始されると、まず押圧ローラ１４が降下してサブタンク３１に接近、固定される（第２ＳＴＥＰ）。その後、キャリッジ４の移動によりサブタンク３１上部の弾性支持部材３５が押圧ローラ１４に当接し、押圧ローラ１４からの荷重を受けてサブタンク３１の内部空間側に凹むように弾性変形する。これによりメッシュプレス部材３２が押圧されて下流側に移動し（第３ＳＴＥＰ）、下流側が加圧されて、ノズル３７からインクや異物等が吐出される。【選択図】  図６
2006240224.tif 000002
【特許請求の範囲】
【請求項１】
液体が収容されたメインタンクと、
前記メインタンクから供給される液体を一旦貯蔵するサブタンク、及びそのサブタンクから供給される液体を液滴としてノズルから噴射可能な噴射ヘッドを有するヘッドユニットと、
前記ヘッドユニットを予め定められた範囲内で移動させるためのヘッドユニット移動手段と
を備え、前記ヘッドユニット移動手段が前記ヘッドユニットを移動させつつ前記噴射ヘッドがノズルから液滴を噴射するよう構成された液滴噴射装置であって、
前記サブタンクは、液体が貯蔵される内部空間における内壁の一部が、前記ヘッドユニットの外部からの荷重により前記内部空間側へ弾性変形可能な弾性加圧部材によって構成されており、
前記ヘッドユニット移動手段による前記ヘッドユニットの移動時に前記弾性加圧部材が当接可能な位置である押圧位置に、その弾性加圧部材を弾性変形させるための押圧部材が設けられ、
前記ヘッドユニットの移動に伴って前記弾性加圧部材が前記押圧部材に当接しながら移動するときにその弾性加圧部材に加わる荷重によって、その弾性加圧部材が前記サブタンクの内部空間側へ弾性変形してその内部空間が加圧されることにより、前記噴射ヘッドのノズルから液滴が強制的に吐出されるよう構成されている
ことを特徴とする液滴噴射装置。
【請求項２】
請求項１記載の液滴噴射装置であって、
前記メインタンクから前記サブタンクに至る液体供給経路に、前記サブタンク側から前記メインタンクへの液体の逆流を阻止するための逆流阻止手段が設けられている
ことを特徴とする液滴噴射装置。
【請求項３】
液体が収容されたメインタンクと、
前記メインタンクから供給される液体を一旦貯蔵するサブタンク、及びそのサブタンクから供給される液体を液滴としてノズルから噴射可能な噴射ヘッドを有するヘッドユニットと、
前記ヘッドユニットを予め定められた範囲内で移動させるためのヘッドユニット移動手段と
を備え、前記ヘッドユニット移動手段が前記ヘッドユニットを移動させつつ前記噴射ヘッドがノズルから液滴を噴射するよう構成された液滴噴射装置であって、
前記サブタンクは、
前記メインタンクから供給される液体を前記内部空間に流入させるための流入口と、
前記流入口から前記噴射ヘッドに至る液体供給経路における前記流入口よりも下流側において前記液体供給経路を遮るように設けられた部材であって、前記液体供給経路における当該部材の上流側と下流側との間で液体が通過可能な液体流路が少なくとも一つ形成されているとともに液体を直接押圧可能なプレス部材と、
液体が貯蔵される内部空間における前記プレス部材よりも前記上流側の内壁の一部を構成するものであって、前記ヘッドユニットの外部からの荷重により前記内部空間側へ弾性変形可能な弾性加圧部材と、
前記プレス部材および前記弾性加圧部材の双方を連結する部材であって、前記弾性加圧部材が前記内部空間側へ弾性変形することにより前記プレス部材を押圧して前記下流側に移動させるための連結部材と
を備え、
前記ヘッドユニット移動手段による前記ヘッドユニットの移動時に前記弾性加圧部材が当接可能な位置である押圧位置に、その弾性加圧部材を弾性変形させるための押圧部材が設けられ、
前記ヘッドユニットの移動に伴って前記弾性加圧部材が前記押圧部材に当接しながら移動するときに加わる荷重によってその弾性加圧部材が前記サブタンクの内部空間側へ弾性変形することにより、前記連結部材が前記プレス部材を押圧し、その連結部材からの押圧を受けて前記プレス部材が液体を直接押圧しながら前記下流側に移動することにより、前記噴射ヘッドのノズルから液滴が強制的に吐出されるよう構成されている
ことを特徴とする液滴噴射装置。
【請求項４】
請求項１〜３いずれかに記載の液滴噴射装置であって、
前記押圧部材は、
前記ヘッドユニットの移動により前記押圧位置にて前記弾性支持部材が当接するとともにその当接による荷重によって回転可能な回転体と、
前記回転体を回転可能な状態で支持する支持軸と、
を備えていることを特徴とする液滴噴射装置。
【請求項５】
請求項１〜４いずれかに記載の液滴噴射装置であって、
前記押圧部材を、前記ヘッドユニットが前記範囲内を移動しても当該押圧部材が前記弾性加圧部材に当接することがない退避位置と、前記押圧位置との間で移動させるための第１駆動手段を備えている
ことを特徴とする液滴噴射装置。
【請求項６】
請求項５記載の液滴噴射装置であって、
前記ヘッドユニットは、前記ヘッドユニット移動手段により移動される移動方向に沿って設けられた複数の前記サブタンクを有し、
前記複数のサブタンクのうち、前記弾性加圧部材を前記押圧部材に当接させるべき押圧対象サブタンクを設定する押圧対象サブタンク設定手段を備え、
前記第１駆動手段は、前記ヘッドユニットの移動に伴って前記押圧対象サブタンクにおける前記弾性加圧部材が前記押圧位置を通過する際に、その弾性加圧部材が前記押圧部材に当接して弾性変形するよう、前記押圧部材を前記押圧位置に移動させる
ことを特徴とする液滴噴射装置。
【請求項７】
請求項１〜６いずれかに記載の液滴噴射装置であって、
前記押圧位置として、前記弾性加圧部材が前記押圧部材に当接したときの前記弾性変形の程度がそれぞれ異なる複数の押圧位置が設定されており、
前記押圧部材を前記複数の押圧位置のいずれかに選択的に移動させるための第２駆動手段を備えている
ことを特徴とする液滴噴射装置。
【請求項８】
請求項１〜７いずれかに記載の液滴噴射装置であって、
前記ヘッドユニット移動手段は、前記弾性加圧部材が前記押圧部材に当接してから再び離れるまでの移動区間内において、予め設定された一又は複数の停止位置の中から選択されたいずれかの停止位置で前記ヘッドユニットを停止可能に構成されている
ことを特徴とする液滴噴射装置。
【請求項９】
請求項１〜８いずれかに記載の液滴噴射装置であって、
前記ヘッドユニット移動手段は、前記弾性加圧部材が前記押圧部材に当接して弾性変形する際の前記ヘッドユニットの移動速度を複数種類に変更できるよう構成されている
ことを特徴とする液滴噴射装置。
【請求項１０】
請求項１〜９いずれかに記載の液滴噴射装置であって、
前記サブタンクは、前記ヘッドユニット移動手段によって移動されている間は、前記メインタンクから供給される液体を内部空間に流入させるための流入口が密閉されて前記メインタンクからの液体供給が遮断されるよう構成されており、
前記弾性加圧部材には、前記サブタンクの内部空間を大気圧に維持するための大気連通孔が形成されており、
前記大気連通孔は、前記弾性加圧部材が前記押圧位置にて前記押圧部材に当接して弾性変形する際に、その押圧部材によって塞がれるように形成されている
ことを特徴とする液滴噴射装置。
【発明の詳細な説明】
【技術分野】
【０００１】
本発明は、メインタンクからの液体を一旦貯蔵するサブタンクとそのサブタンクからの液体を液滴としてノズルから噴射させる噴射ヘッドとを有するヘッドユニットを移動させつつ、噴射ヘッドから液滴を噴射させる液滴噴射装置に関する。
【背景技術】
【０００２】
従来、この種の液滴噴射装置では、噴射ヘッドのノズル中に気泡や異物が詰まったり、長時間使用しなかったことによりノズル内の液体が乾燥してその成分が固体状或いはスラリー状でノズル内に付着するなどして、正常な噴射を行うことができなくなる場合がある。
【０００３】
このような問題が生じる液滴噴射装置の具体的な例として、サブタンクに一旦貯蔵されたインクを記録ヘッド（上記の噴射ヘッドに相当）から噴射させることにより記録媒体への画像等の記録を行うインクジェット記録装置が挙げられる。インクジェット記録装置においてノズル中に異物等が詰まったり、ノズル内のインクが乾燥したりすると、インクの噴射が正常に行われなくなり、良好な画像（記録結果）が得られなくなるおそれがある。
【０００４】
そのため、インクジェット記録装置においては、例えば一定時間間隔でノズル中のインクや異物等を除去して正常にインクの噴射が行われる状態に回復させる回復機能を備えることが一般的となっている。
【０００５】
回復機能を実現する具体的方法の一つとして、記録ヘッドのノズルにキャップを被せ、その状態でノズルからインクや異物等を吸引する負圧吸引方式が知られている。しかしこの方法だと、インクを多く吸引してしまうため、回復動作を行う度に多量のインクが画像の記録に用いられることなく消費されて廃棄されてしまうといった問題があった。
【０００６】
そこで、記録ヘッドよりもインク供給経路の上流側からインクに圧力（正圧）を加えることでノズルからインク等を吐出させる正圧パージ方式が提案されている。そして、正圧パージ方式の具体例として、空気加圧ポンプを用いてサブタンク内部の空気を圧縮することによりサブタンク内のインクに圧力を加え、その圧力でインクを下流側に押し流して記録ヘッドからインクを吐出させる方法が知られている（例えば、特許文献１参照。）。
【０００７】
また、別の例として、インクを貯蔵するインク袋を収納したヘッドケースが、少なくとも一部が可撓性部材から構成されヘッドケース内に連通するように設けられた加圧室を有しており、この加圧室を構成する可撓性部材を指で押圧してヘッドケース内の容積を変化させることにより、内部のインク袋に圧力を印加してノズルからインクを吐出させる方法も知られている（例えば、特許文献２参照。）
【特許文献１】特開平５−９２５７８号公報（図１）
【特許文献２】特開平７−２３２４３６号公報
【発明の開示】
【発明が解決しようとする課題】
【０００８】
しかし、上記特許文献１に記載の方法のように空気加圧ポンプを用いてサブタンク内の空気を圧縮し、ノズルを回復させる方法だと、回復機能の実現のために別途加圧ポンプが必要になるのに加え、その加圧ポンプ専用の駆動源や駆動力伝達用の連結機構なども必要となり、装置全体の大型化やコストアップ、更には機構に対して高負荷を招来する等の問題があった。
【０００９】
また、上記特許文献２に記載の方法のように、可撓性部材を押圧してケース内部を加圧（延いてはインク袋を加圧）することによりノズルを回復させる方法だと、空気ポンプ等の機器は不要となるものの、回復動作の度にユーザが自ら可撓性部材を押圧する必要があるため、ユーザにとってその作業は非常に煩雑であり、使い勝手の悪化を招くという問題があった。
【００１０】
このような問題は、インクジェット記録装置に限らず、サブタンクに一旦貯蔵された液体を噴射ヘッドのノズルから噴射させるよう構成された種々の液滴噴射装置において起こりうる共通の問題である。
【００１１】
本発明は上記課題に鑑みなされたものであり、回復動作のための装置追加を抑えつつ、簡単な構成でしかもユーザの手を煩わせることなく、正圧パージ方式によるノズルの回復動作を行うことが可能な液滴噴射装置を提供することを目的とする。
【課題を解決するための手段】
【００１２】
本願発明者は、上記課題を解決するにあたり、ヘッドユニットを移動させつつ噴射ヘッドから液体を噴射させる構成の液滴噴射装置にはヘッドユニットを移動させるための手段がもともと備えられているという点に着目した。そして、この手段によりヘッドユニットが移動されているときの運動エネルギーを利用して回復動作を実現できないかという発想から、本願発明に至った。
【００１３】
即ち、上記課題を解決するためになされた請求項１記載の発明は、液体が収容されたメインタンクと、そのメインタンクから供給される液体を一旦貯蔵するサブタンク、及びそのサブタンクから供給される液体を液滴としてノズルから噴射可能な噴射ヘッドを有するヘッドユニットと、そのヘッドユニットを予め定められた範囲内で移動させるためのヘッドユニット移動手段とを備え、ヘッドユニット移動手段がヘッドユニットを移動させつつ噴射ヘッドがノズルから液滴を噴射するよう構成されたものである。
【００１４】
本発明のサブタンクは、液体が貯蔵される内部空間における内壁の一部が、ヘッドユニットの外部からの荷重により内部空間側へ弾性変形可能な弾性加圧部材によって構成されている。また、ヘッドユニット移動手段によるヘッドユニットの移動時に弾性加圧部材が当接可能な位置である押圧位置には、その弾性加圧部材を弾性変形させるための押圧部材が設けられている。
【００１５】
そして、ヘッドユニットの移動に伴って弾性加圧部材が押圧部材に当接しながら移動するときにその弾性加圧部材に加わる荷重によって、その弾性加圧部材がサブタンクの内部空間側へ弾性変形してその内部空間が加圧されることにより、噴射ヘッドのノズルから液滴が強制的に吐出されるよう構成されている。
【００１６】
上記のように構成された液滴噴射装置では、ヘッドユニット移動手段によりヘッドユニットが移動して押圧位置近傍を通過する際、サブタンクの弾性加圧部材がその押圧位置に設けられた押圧部材に当接する。その当接後、ヘッドユニットが引き続き移動を続けると、弾性加圧部材は押圧部材から荷重を受けることになり、その荷重によって弾性加圧部材はサブタンク内部空間側へ弾性変形する。
【００１７】
この弾性変形によってサブタンクの内部空間の容積が減少し、その内部空間が加圧される。この加圧によって噴射ヘッドのノズルから液滴や異物等が強制的に排出されることとなり、これにより回復機能（正圧パージ）が実現される。そして、ヘッドユニットが引き続き移動することで、弾性加圧部材が押圧部材から離れ、弾性加圧部材は元の形状に復元することになる。
【００１８】
つまり、ヘッドユニットが移動しているときの運動エネルギーによって、移動中に弾性加圧部材が押圧部材に当接すると弾性加圧部材に荷重が加わるため、弾性加圧部材が弾性変形することとなり、延いてはサブタンクの内部空間が加圧されてノズルから液滴が吐出するのである。
【００１９】
従って、上記構成の液滴噴射装置によれば、サブタンクの内壁の一部を弾性加圧部材で形成するとともに、当該装置が元々備えるヘッドユニット移動手段によるヘッドユニットの移動時に弾性加圧部材を押圧部材に当接させて弾性変形させ、サブタンクの内部空間を加圧するようにしているため、回復動作のための空気加圧ポンプやその駆動源、駆動連結機構等の設置を抑えつつ、簡単な構成でしかもユーザの手を煩わせることなく、正圧パージ方式によるノズルの回復動作を行うことが可能となる。
【００２０】
なお、弾性加圧部材を弾性変形させる際のヘッドユニットの移動速度（換言すれば、弾性変形する速度）は、弾性変形したとき、サブタンクの内部空間に、噴射ヘッドから液滴を吐出させるのに最低限必要な圧力が加わるような速度以上とする必要がある。仮にその速度未満でヘッドユニットを移動させた場合は、サブタンク内部が十分に加圧されず、ノズルから液滴が吐出しないことになる。
【００２１】
また、弾性加圧部材は、それ自体が弾性変形するものに限らず、例えば、弾性変形はしないものの可撓性のある部材と、その可撓性のある部材を弾性支持する弾性支持手段とにより構成されたものであってもよい。この場合、可撓性のある部材は、押圧部材に当接して内部空間側に変形した（凹んだ）とき、それ自身の力では元の形状に戻らないものの、それを支持している弾性支持手段の付勢力によって元の形状に復元する方向の付勢力を受けて、元の形状に復元することになる。
【００２２】
更に弾性加圧部材は、気体透過性のない材質或いは気体透過性の低い材質によって構成するのが好ましい。気体透過性を有する材質を用いる場合は、弾性変形による内部空間加圧時に当該弾性加圧部材から内部空間の気体が外部に透過することにより生じる圧力損失分が、ノズルからの液滴吐出を妨げない程度の、低い気体透過性を有する材質にて形成すればよい。このような気体透過性の低い材質としては、例えば、ブチルゴムやフッ素ゴムなどが挙げられる。
【００２３】
ここで、本発明の液滴噴射装置は、メインタンクから供給される液体がサブタンクに一旦貯蔵される構成となっている。そのため、メインタンクからサブタンクに至る液体供給経路の構成によっては、弾性加圧部材が弾性変形してサブタンクの内部が加圧されたときにサブタンク内の液体がメインタンク側に逆流し、ノズル側が十分に加圧されずに十分な回復動作が行われなくなるおそれがある。
【００２４】
そこで、例えば請求項２に記載のように、メインタンクからサブタンクに至る液体供給経路に、サブタンク側からメインタンクへの液体の逆流を阻止するための逆流阻止手段を設けるようにするとよい。
【００２５】
このように構成された液滴噴射装置によれば、サブタンク内部の加圧時の液体逆流が阻止されるため、逆流による圧力損失を抑えることができ、回復動作を効率的に行うことが可能となる。
【００２６】
ところで、上記請求項１又は２記載の液滴噴射装置は、弾性加圧部材の弾性変形によりサブタンク内部の容積を変化（減少）させて回復動作を実現する構成である。そのため、例えば弾性加圧部材と内部の液体との間に空気が存在すると、まずサブタンク内部の空気が圧縮され、その圧力がサブタンクに貯蔵された液体の液面に伝達することで液体に圧力が加わっていくことになるため、圧力損失が生じて効率の低下を招くおそれがある。
【００２７】
そこで、より効率的な回復動作を実現するために、サブタンク内部を例えば請求項３記載のように構成することができる。
即ち、請求項３記載の発明は、請求項１と同様、液体が収容されたメインタンクと、そのメインタンクから供給される液体を一旦貯蔵するサブタンク、及びそのサブタンクから供給される液体を液滴としてノズルから噴射可能な噴射ヘッドを有するヘッドユニットと、そのヘッドユニットを予め定められた範囲内で移動させるためのヘッドユニット移動手段とを備え、ヘッドユニット移動手段がヘッドユニットを移動させつつ噴射ヘッドがノズルから液滴を噴射するよう構成された液滴噴射装置である。
【００２８】
そして、本発明(請求項３)では、サブタンクが、メインタンクから供給される液体を内部空間に流入させるための流入口と、その流入口から噴射ヘッドに至る液体供給経路における流入口よりも下流側において液体供給経路を遮るように設けられたプレス部材と、液体が貯蔵される内部空間におけるプレス部材よりも上流側の内壁の一部を構成するものであって、ヘッドユニットの外部からの荷重により内部空間側へ弾性変形可能な弾性加圧部材と、プレス部材および弾性加圧部材の双方を連結する部材であって、弾性加圧部材が内部空間側へ弾性変形することによりプレス部材を押圧して下流側に移動させるための連結部材とを備えている。
【００２９】
サブタンクが備える上記プレス部材は、液体供給経路における当該部材の上流側と下流側との間で液体が通過可能な液体流路が少なくとも一つ形成されているとともに液体を直接押圧可能なものである。また、ヘッドユニット移動手段によるヘッドユニットの移動時に弾性加圧部材が当接可能な位置である押圧位置には、その弾性加圧部材を弾性変形させるための押圧部材が設けられている。
【００３０】
そして、ヘッドユニットの移動に伴って弾性加圧部材が押圧部材に当接しながら移動するときに加わる荷重によってその弾性加圧部材がサブタンクの内部空間側へ弾性変形することにより、連結部材がプレス部材を押圧し、その連結部材からの押圧を受けてプレス部材が液体を直接押圧しながら下流側に移動することにより、噴射ヘッドのノズルから液滴が強制的に吐出されるよう構成されている。
【００３１】
上記のように構成された液滴噴射装置では、弾性加圧部材の弾性変形により連結部材を介してプレス部材が押圧され、そのプレス部材が下流側に移動すると、プレス部材よりも下流側の液体は、プレス部材に形成された液体流路を介して上流側に流れ込むものの、液体流路の流路抵抗によって加圧される。そのため、この加圧によって噴射ヘッドのノズルから液滴や異物等が強制的に排出されることとなり、これにより回復機能（正圧パージ）が実現される。
【００３２】
つまり、サブタンク内で液体供給経路を遮断するようにプレス部材が備えられているのであるが、完全に遮断しているわけではなく、液体流路を設けることで液体が供給元からノズル側に供給される状態を保持している。その上で、プレス部材が液体を直接押圧させつつ下流側へ移動したときは、液体流路の流路抵抗によって下流側が加圧され、回復動作されるように構成されているのである。
【００３３】
プレス部材は、液体供給経路の下流側に、即ち、プレス部材の下流側に流入口が存在しないように備えられている。そのため、プレス部材が下流側に移動して下流側が加圧されても、その上流側（即ち流入口側）は加圧されないため、回復動作時に流入口から液体が上流側（メインタンク側）へ逆流するおそれはない。
【００３４】
従って、上記構成の液滴噴射装置によれば、ヘッドユニットの移動によって弾性加圧部材が押圧部材に当接して弾性変形したときに、連結部材を介してプレス部材を押圧して下流側に移動させるようにするという簡単な構成で、サブタンク内の液体を直接加圧することによる回復動作が実現できる。そのため、回復動作時の圧力損失や液体の消費量が抑えられ、効率的かつ確実に液滴を吐出させることができる。しかも、プレス部材には液体流路が形成されているため、通常の液滴噴射動作中も常に液体流路を介して液体を噴射ヘッド側へ供給することができる。また、弾性加圧部材が元の形状に復元することによってプレス部材が元の位置（上流側）に戻されても、液体流路を介して液体が下流側に流れるため、ノズルからの液体の逆流を防止できる。
【００３５】
なお、弾性加圧部材を弾性変形させる際のヘッドユニットの移動速度は、弾性加圧部材の弾性変形によってプレス部材が押圧（移動）されたとき、プレス部材の下流側領域に、噴射ヘッドから液滴を吐出させるのに最低限必要な圧力が加わるような速度以上にすればよい。この速度は、プレス部材に形成された液体流路の数や断面積（内径）、位置などを考慮して、押圧したときにノズルから液滴が吐出して回復機能が実現されるように適宜決めればよい。
【００３６】
また、プレス部材と連結部材とは、必ずしも機械的部品等で連結されている必要はなく、例えば接着剤によって接着された状態であったり、或いは、両者が一体的に形成されたものであってもよく、弾性加圧部材が弾性変形したときに結果としてプレス部材が下流側に移動するように連結されている限り、連結の具体的態様は種々の態様を採りうる。また、両者の連結は、直接的な連結であっても間接的な連結であってもよい。弾性加圧部材と連結部材との連結・接続についても同様である。
【００３７】
更に、プレス部材の具体的構成は、プレス部材全体の形状（外周形状）や、液体流路の断面積（内径）、数、形状、形成位置などにより、多種多様のものが考えられる。その一例として、同じ断面積の液体流路が複数形成されたものや、同心楕円状に等間隔で液体流路が形成されたもの、或いは、複数の液体流路がメッシュ状に形成されたものなどが挙げられる。
【００３８】
なお、本発明でいう「噴射」とは、噴射ヘッド自身の動作によって液滴がノズルから噴出されることを意味し、「吐出」とは、噴射ヘッドよりも上流側での動作によって液体が噴射ヘッドへ送り込まれることによりノズルから液滴が強制的に噴出されることを意味する。
【００３９】
上記請求項１〜３いずれかに記載の液滴噴射装置において、押圧部材は、例えば請求項４に記載のように、ヘッドユニットの移動により押圧位置にて弾性支持部材が当接するとともにその当接による荷重によって回転可能な回転体と、回転体を回転可能な状態で支持する支持軸とにより構成することができる。
【００４０】
押圧部材をこのように構成することで、弾性加圧部材が押圧部材に当接している間、弾性加圧部材には少なくとも回転体の回転側面が接触し、その回転体が、弾性加圧部材から受ける回転方向の荷重によって回転しながらその弾性加圧部材を押圧・弾性変形させることになる。そのため、押圧部材および弾性加圧部材の双方の耐久性を向上させることが可能となる。
【００４１】
ここで、押圧部材は、ある一定の押圧位置にて固定設定されたものであってもよいが、例えば請求項５記載のように、押圧部材を、ヘッドユニットがその移動範囲内を移動しても当該押圧部材が弾性加圧部材に当接することがない退避位置と上記押圧位置との間で移  動させるための第１駆動手段を備えるようにしてもよい。
【００４２】
このように構成された液滴噴射装置によれば、ヘッドユニットが押圧部材の設置位置をを通過する度に液滴の強制吐出が行われることなく、回復動作が不要の場合は押圧部材を退避位置に移動させ、回復動作が必要なときに押圧位置に移動させることができるため、液体が無駄に消費されるのを防ぐことができ、より効率的な回復動作の実現が可能となる。
【００４３】
そして、上記請求項５のように液滴噴射装置が第１駆動手段を備えている場合は、更に請求項６記載のように構成することができる。即ち、請求項６記載の液滴噴射装置は、ヘッドユニットが、ヘッドユニット移動手段により移動される移動方向に沿って設けられた複数のサブタンクを有しており、その複数のサブタンクのうち、弾性加圧部材を押圧部材に当接させるべき押圧対象サブタンクを設定する押圧対象サブタンク設定手段を備えている。そして、第１駆動手段は、ヘッドユニットの移動に伴って押圧対象サブタンクにおける弾性加圧部材が押圧位置を通過する際に、その弾性加圧部材が押圧部材に当接して弾性変形するよう、押圧部材を押圧位置に移動させる。
【００４４】
このように構成された液滴噴射装置によれば、移動方向に沿って設けられた複数のサブタンクが押圧位置を順次通過する際に、回復動作すべきサブタンク(押圧対象サブタンク)の弾性加圧部材が通過するときのみ押圧部材を押圧位置に移動させ、それ以外のサブタンクが通過する際は押圧部材を退避位置に退避させておくことが可能となるため、複数のサブタンクを備えた液滴噴射装置における回復動作をより効率的に行うことが可能となる。
【００４５】
更に、例えば請求項７記載のように、押圧位置として、弾性加圧部材が押圧部材に当接したときの弾性変形の程度がそれぞれ異なる複数の押圧位置を設定し、第２駆動手段が、押圧部材をその複数の押圧位置のいずれかに選択的に移動させるように構成してもよい。
【００４６】
つまり、第２駆動手段によって押圧部材の押圧位置を変化可能とすることにより、各押圧位置毎に、その押圧位置に応じた弾性加圧部材の弾性変形量が実現されるのである。そのため、例えば、回復動作時の液滴吐出量を少なめに抑えるために必要な弾性変形量（変形の程度が小さい）に応じた押圧位置と、回復動作時の液滴吐出量を多めにするために必要な弾性変形量（変形の程度が大きい）に応じた押圧位置との２種類のうちいずれか一方に押圧部材を移動させて、液滴吐出量を調節できるようにするといったことが可能となる。
【００４７】
従って、上記構成の液滴噴射装置によれば、回復動作時の液滴吐出量を複数種類に設定できるため、ノズルの状態に応じた適切な弾性変形量（加圧圧力）での回復動作が可能となり、回復動作をより効率的に行うことができる。
【００４８】
回復動作時の液滴吐出量を複数種類に設定するための方法として、上記請求項７の方法以外に、例えば請求項８記載のように構成することもできる。即ち、ヘッドユニット移動手段を、弾性加圧部材が押圧部材に当接してから再び離れるまでの移動区間内において、予め設定された一又は複数の停止位置の中から選択されたいずれかの停止位置でヘッドユニットを停止可能に構成するとよい。
【００４９】
弾性加圧部材は、押圧部材に当接開始後、ヘッドユニットの移動と共に徐々に弾性変形が進んでいき、ある段階(位置)で変形量が最も大きい状態となる。そして、更にヘッドユニットの移動が進むと、弾性加圧部材は徐々に元の形状に復元していくことになる。そのため、弾性加圧部材が押圧部材に当接開始した後、弾性変形していく途中の複数の位置のいずれかでヘッドユニットを選択的に停止させることができれば、その停止時の弾性変形量に応じて液滴が吐出されることとなる。
【００５０】
このように、当接中にヘッドユニットを停止可能とすると共にその停止位置を複数種類の位置の中から選択可能とすることによっても、回復動作時の液滴吐出量を複数種類に設定できるため、ノズルの状態に応じた適切な弾性変形量（加圧圧力）での回復動作が可能となり、回復動作をより効率的に行うことができる。
【００５１】
さらに、回復動作時の液滴吐出量を複数種類に設定するための方法として、例えば請求項９記載のように、ヘッドユニット移動手段を、弾性加圧部材が押圧部材に当接して弾性変形する際のヘッドユニットの移動速度を複数種類に変更できるよう構成するようにしてもよい。このように構成された液滴噴射装置によっても、ヘッドユニットの移動速度に応じて回復動作時の液滴吐出量を複数種類に設定できるため、ノズルの状態に応じた適切な弾性変形量（加圧圧力）での回復動作が可能となり、回復動作をより効率的に行うことができる。
【００５２】
ところで、上記各請求項１〜９いずれかに記載のように構成された液滴噴射装置においては、メインタンクからサブタンクへの液体の供給方式として、例えば、両者をチューブ等により常時接続しておくことによって、噴射ヘッドから液滴が噴射・吐出される毎にその分を常時メインタンクから供給できるようにする方式や、ヘッドユニットの移動時はメインタンクからの液体供給経路を遮断しておき、ヘッドユニットがある特定の位置で停止したときにメインタンクとサブタンクとをチューブ等で接続して液体を供給する方式などがある。
【００５３】
そして、後者の場合、ヘッドユニットの移動中は、メインタンクから液体の供給を受けるための流入口が密閉されるのが一般的である。そのためサブタンクには、貯蔵された液体が噴射ヘッド側に供給されていくに従って内部の負圧が増加することのないよう、内部空間を大気圧に維持するための大気連通孔を設けるのが一般的である。
【００５４】
このように、サブタンクに大気連通孔が設けられた液滴噴射装置において、良好な回復動作を実現するためには、例えば請求項１０記載のように構成するとよい。即ち、請求項１０記載の発明は、請求項１〜９いずれかに記載の液滴噴射装置であって、サブタンクは、ヘッドユニット移動手段によって移動されている間は、メインタンクから供給される液体を内部空間に流入させるための流入口が密閉されてメインタンクからの液体供給が遮断されるよう構成されている。そして、サブタンクの内部空間を大気圧に維持するための大気連通孔は、弾性加圧部材に形成されており、且つ、その弾性加圧部材が押圧位置にて押圧部材に当接して弾性変形する際に、その押圧部材によって塞がれるように形成されている。
【００５５】
このように構成された液滴噴射装置によれば、大気連通孔が弾性加圧部材に形成されると共にそれが押圧部材によって塞がれるように構成されているため、押圧部材により弾性加圧部材が弾性変形する際に、サブタンク内部の気体がサブタンク外部に漏れるのが防止される。そのため、弾性加圧部材の弾性変形時にサブタンク内部を十分に加圧することができ、良好な回復動作結果を得ることができる。
【発明を実施するための最良の形態】
【００５６】
以下に、本発明の好適な実施形態を図面に基づいて説明する。
［第１実施形態］
なお、本実施形態は、プリンタ機能、スキャナ機能、コピー機能、ファクシミリ機能等を備えたいわゆる多機能装置を構成するインクジェット記録装置に本発明を適用したものである。
【００５７】
＜多機能装置１の全体構成＞
図１及び図２に示すように、本実施形態の多機能装置１は、ケース１ａの上部にスキャナ２が設けられ、その下部（ケース１ａ内の上部）に、上記各種機能において記録用紙２０への記録（画像形成）を行うためのインクジェット記録装置７が設けられている。ケース１ａ内の下部には、給紙装置３０が設けられている。
【００５８】
また、ケース１ａ内の後方であって給紙装置３０よりも上方には、箱型の金属製のフレーム５が配置されている。フレーム５は左右方向に長いほぼ直方体形状であり、伸びた状態でケース１ａの内部に固定される。
【００５９】
フレーム５内の上部にはインクジェット記録装置７が配置され、フレーム５の後方には、給紙装置３０の後方からインクジェット記録装置７へと記録用紙２０を案内する搬送路５ａが形成されている。インクジェット記録装置７は、搬送路５ａの出口に隣接する箇所に搬送ローラ７ａを有し、画像の記録された記録用紙２０を排出する箇所に排出ローラ７ｂを有する。この搬送ローラ７ａは用紙搬送モータ１２３（図２には図示せず。図７参照。）の回転駆動力を受けて回転する。インクジェット記録装置７の具体的構成は図３に示す通りであるが、その詳細については後述する。
【００６０】
給紙装置３０は、ケース１ａの開口部１ｂから挿入されてセットされた給紙カセット３を備えている。この給紙カセット３には、積み重ねた記録用紙２０を収納する用紙収納部３ａが設けられ、給紙カセット３がケース１ａ内に挿入されると、用紙収納部３ａ内の記録用紙２０はケース１ａ内の後方に配置される。
【００６１】
そして、用紙収納部３ａの最上層に積層されている記録用紙２０は、給紙ローラ８が回転することにより、搬送路５ａを経てインクジェット記録装置７へ送り出される。なお、給紙ローラ８は、駆動軸９に軸支された長尺状のアーム１０の先端部に回転可能に保持されており、駆動軸９が給紙モータ１２２（図２には図示せず。図７参照。）の回転駆動力を受けて回転することによりその回転が伝達されて回転するよう構成されている。
【００６２】
また、多機能装置１の上部前面には、各種操作ボタンや液晶パネルなどからなる操作パネル６が設けられている。この操作パネル６により、ユーザは、当該多機能装置１の各種機能における各種設定項目を設定したり、ファクシミリ番号などの必要事項を入力したり、動作状況や通信履歴などを確認したりすることができる。
【００６３】
＜インクジェット記録装置７の構成＞
次に、多機能装置１内に搭載されたインクジェット記録装置７の具体的構成について、図３に基づいて説明する。このインクジェット記録装置７が本発明の液滴噴射装置に相当するものである。
【００６４】
図３に示すように、このインクジェット記録装置７においては、ガイドバー２４が、搬送ローラ７ａ等により搬送されてくる記録用紙２０の幅方向に設置され、このガイドバー２４に、ヘッドユニット１１を搭載したキャリッジ４が挿通されている。ヘッドユニット１１は、インクカートリッジ７１（図４（ｂ）参照）から供給される４色のインクを記録ヘッド６９の各ノズル３７，４７，５７，６７（図４（ａ）参照）から液滴として噴射させて記録用紙２０への記録を行うものであり、その具体的構成については後述する。
【００６５】
キャリッジ４は、ガイドバー２４に沿って設けられた無端ベルト２５に連結され、その無端ベルト２５は、ガイドバー２４の一端側に設置されたキャリッジモータ２８のプーリ２６と、ガイドバー２４の他端側に設置されたアイドルプーリ２７との間に掛け止められている。
【００６６】
つまり、キャリッジ４は、無端ベルト２５を介して伝達されるキャリッジモータ２８の駆動力により、ガイドバー２４に沿って記録用紙２０の幅方向に往復運動するように構成されている。
【００６７】
また、ガイドバー２４の近傍には、一定間隔ごとに一定幅のスリットを形成したタイミングスリット２９が、ガイドバー２４に沿って設置されている。
また、キャリッジ４の下部には、タイミングスリット２９を挟んで発光素子と受光素子とが対面するように配置されたフォトインタラプタからなる検出部（図示略）が備えられており、上述のタイミングスリット２９と共にリニアエンコーダ（キャリッジ送り用エンコーダ）１１８（図７参照）を構成している。このキャリッジ送り用エンコーダ１１８により、キャリッジ４（ヘッドユニット１１）の移動量（位置）が検出される。
【００６８】
ここで、ガイドバー２４に沿ってキャリッジ４が往復運動する領域は、図示の如く、記録用紙２０への記録が行われる記録領域と、記録が行われない領域である待機領域および間隙調整領域との、３つの領域に分けられる。
【００６９】
このうち待機領域は、ガイドバー２４のプーリ２６側端付近に設定され、記録やメンテナンス等が行われていない期間にキャリッジ４が待機するホームポジション（図３の右端位置）を含み、メンテナンス動作の一つである各ノズル３７，４７，５７，６７の開口面の拭き取り（以下「ワイピング」ともいう）や、各ノズル内で乾燥したインクや混入した異物などを除去して正常なインク噴射が行われるようにする回復動作（正圧パージ）などが行われる領域である。
【００７０】
間隙調整領域は、図示しない間隙調整装置を動作させることが可能な領域であり、この間隙調整装置を動作させることにより、記録ヘッド６９の各ノズル３７，４７，５７，６７（図４参照）と記録用紙２０との間隙（ギャップ）を調整することができる。
【００７１】
待機領域には、キャリッジ４がホームポジションで停止しているときの記録ヘッド６９と対向する位置にキャップ２１が設けられている。このキャップ２１は、記録ヘッド６９の全てのノズル３７，４７，５７，６７を覆ってインクの乾燥を防止するキャッピングを行うためのものであり、キャップ駆動部２２により駆動される。
【００７２】
即ち、キャリッジ４がホームポジションで停止している間は、キャップ２１が上昇してヘッドユニット１１の下部の記録ヘッド６９が覆われており、記録動作時やメンテナンス時のようにキャリッジ４を移動させる場合は、キャッピング中のキャップ２１が下降して各ノズル３７，４７，５７，６７を露出させ、キャリッジ４が移動可能状態となる。
【００７３】
また、キャップ２１の位置からキャリッジ４の移動方向に隣接した位置には、回復動作時に各ノズル３７，４７，５７，６７から吐出されたインクを受けるための廃インク受皿１６と、各ノズル３７，４７，５７，６７の開口面に付着したインク等を拭き取るためのワイパーブレード１８が設けられている。ワイパーブレード１８は、ワイパー駆動部１９によって図３の上下方向に移動できるよう構成され、通常時はワイパー駆動部１９側に下降した状態であるが、回復動作時には上昇して、回復動作後の各ノズル３７，４７，５７，６７のワイピングを行う。
【００７４】
つまり、詳細は後述するが、回復動作時には、各ノズル３７，４７，５７，６７がそれぞれ廃インク受皿１６と対向する位置に移動してきたときに、対応するノズルからインクが吐出され、回復動作により各ノズルの開口面に付着したインク等がワイパーブレード１８により拭き取られるのである。
【００７５】
さらに待機領域には、ヘッドユニット１１の上部（記録ヘッド６９とは反対側）に、押圧ローラ駆動装置１２が設けられている。この押圧ローラ駆動装置１２は、先端側に押圧ローラ１４が回転可能に取り付けられたローラ軸１３ａをローラ軸駆動部１３が上下方向に駆動するよう構成されたものである。そして、回復動作が行われない通常時には、押圧ローラ１４がヘッドユニット１１と接触することがないように押圧ローラ１４の位置が調整されているが、回復動作時には、キャリッジ４の移動に伴って押圧ローラ１４がヘッドユニット１１の上部に設けられた各弾性支持部材３５，４５，５５，６５（図４参照）に当接するよう、ローラ軸１３ａが下降（つまり押圧ローラ１４が下降）する。
【００７６】
このように構成されたインクジェット記録装置７において、ホームポジションで停止中のキャリッジ４は、記録動作あるいはメンテナンス動作等が開始されると、記録ヘッド６９を覆っていたキャップ２１が外された後、記録領域に向かって移動開始する。
【００７７】
このとき、メンテナンス動作の場合、あるいは記録動作ではあるがその前にメンテナンス動作を行う必要のある場合（例えば前回の記録動作時から一定期間以上経過している場合など）は、押圧ローラ駆動装置１２の押圧ローラ１４が下降し、キャリッジ４の移動に伴ってヘッドユニット１１上部の各弾性支持部材３５，４５，５５，６５がこの押圧ローラ１４により押圧されて回復動作が行われる。この間、各ノズル３７，４７，５７，６７から吐出されたインク等は、既述の通り廃インク受皿１６に溜められる。
【００７８】
そして、回復動作の終了後は、キャリッジ４が更に記録領域に向かって移動し、各ノズル３７，４７，５７，６７の開口面に付着したインク等がワイパーブレード１８により拭き取られる。なお、ワイピング後は、各ノズル３７，４７，５７，６７の開口面全体が、各色のインクが全て混ざった状態となり、そのまま放置しておくと、各ノズルの開口面から当該ノズルに対応した色以外の他色のインクが入り込んで混色が生じてしまう。そのため、ワイピング後は一旦キャリッジ４を廃インク受皿１６と対向する位置に戻し、実際に記録用紙２０に記録させるときと同様にして記録ヘッド６９を駆動させ、各ノズル３７，４７，５７，６７からインクを噴射させる。これがいわゆる予備噴射（予備吐出とも呼ばれる）又はフラッシングと呼ばれるものである。
【００７９】
このフラッシングが終わると、メンテナンス動作のみの場合は再びホームポジションに戻ってキャップ２１により記録ヘッド６９がキャッピングされるが、記録動作の場合は、キャリッジ４は記録領域に向けて移動し、記録動作が開始される。但し、記録動作の開始時には、キャリッジ４を間隙調整領域まで移動させてその端部（図３の左端）に当接させた後、所定距離だけ記録領域側に移動させて（戻して）一旦停止させることにより、記録開始の初期位置にセットするようにしている。
【００８０】
＜ヘッドユニット１１の構成＞
次に、ヘッドユニット１１の具体的構成について、図４に基づいて説明する。ヘッドユニットの詳細構成を示す図であり、（ａ）は正面方向からみた場合の断面図、（ｂ）は（ａ）のＡ−Ａ断面図である。
【００８１】
図４（ａ）に示すように、ヘッドユニット１１は、下部に記録ヘッド６９を備え、この記録ヘッド６９の上部に、各色（４色）のインクがそれぞれ貯蔵されるサブタンク３１，４１，５１，６１が設けられた構成となっている。具体的には、図４（ａ）の左から順に、サブタンク３１にはブラックのインク３６が貯蔵され、その隣のサブタンク４１にはシアンのインク４６が貯蔵され、その隣のサブタンク５１にはイエローのインク５６が貯蔵され、その隣（図の最右側）のサブタンク６１にはマゼンダのインク６６が貯蔵されている。
【００８２】
そして、記録ヘッド６９における各サブタンク３１，４１，５１，６１の下部には、それぞれ対応するサブタンク内のインクを記録用紙２０へ噴射させるためのノズル３７，４７，５７，６７が形成されている。記録ヘッド６９は、圧電素子の伸縮に伴って各ノズルからインク滴を噴射する周知のピエゾ方式のものであるため、その詳細構成については説明を省略する。
【００８３】
次に、各サブタンク３１，４１，５１，６１の内部構成についてより詳細に説明するが、各サブタンク３１，４１，５１，６１の構成は、貯蔵するインクの色が異なること以外は基本的に全く同じである。そのため、以下の説明では、主として、ブラックのインク３６が貯蔵されるサブタンク３１（図４の最左側）について説明し、他の３つのサブタンク４１，５１，６１についての詳細説明は割愛する。
【００８４】
ブラックのインク３６が貯蔵されているサブタンク３１は、図４（ａ）及び同図（ｂ）に示す如く、下部にインク流出口３１ｂが形成され、側面の上部にインク流入口３１ａが形成されている。インク流入口３１ａは、ジョイント７３により可撓性のインク供給チューブ７２と接続されており、このインク供給チューブ７２はブラックのインク３６が収容されたインクカートリッジ７１に接続されている。
【００８５】
この構成により、インクカートリッジ７１内のインク（ブラック）がインク供給チューブ７２を介して供給され、インク流入口３１ａからサブタンク３１内部に流入する。この流入したインク３６はサブタンク３１内で一旦貯蔵され、記録時や回復動作時などノズル３７からインク３６を噴射・吐出させる際に、下部のインク流出口３１ｂから記録ヘッド６９側へ供給されてノズル３７から噴射・吐出される。
【００８６】
サブタンク３１内には、通常、図示の如くインク流入口３１ａよりもやや上位の深さまでインク３６が貯蔵されており、ノズル３７からインクが噴射・吐出される毎に、その噴射・吐出した分のインクがインクカートリッジ７１からインク供給チューブ７２を介して供給されるようになっている。
【００８７】
そして本実施形態では、サブタンク３１に、回復動作を行うための正圧付与部３９と、この正圧付与部３９を支持（厳密には連結軸３４の端部を支持）する弾性支持部材３５とが備えられている。
【００８８】
正圧付与部３９は、板状のメッシュプレス部材３２と、このメッシュプレス部材３２と弾性支持部材３５とを連結する連結部材３８とにより構成されている。連結部材３８は更に、メッシュプレス部材３２に接着された支持板３３と、一端がこの支持板３３に接続され他端が弾性支持部材３５に接続された連結軸３４とにより構成されている。
【００８９】
図５に、正圧付与部３９を構成するメッシュプレス部材３２および連結部材３８のより詳細な構成を示す。まず、図５（ａ）はメッシュプレス部材３２の平面図および正面図である。図示の如く、メッシュプレス部材３２は、全体として楕円形状の板状部材であり、その板面全体に渡って同じ断面積の複数のインク流路３２ａ（矩形の穴）がメッシュ状に形成されている。
【００９０】
また、図５（ｂ）は連結部材３８の平面図および正面図である。図示の如く、連結部材３８は、外周全体がメッシュプレス部材３２と同じ大きさ、同じ形状に形成された支持板３３の中心部に連結軸３４が垂直に立設された形状となっている。支持板３３には、四つの貫通孔３３ａ，３３ｂ，３３ｃ，３３ｄが形成されている。各貫通孔３３ａ〜３３ｄはいずれも同じ形状である。
【００９１】
このように構成された正圧付与部３９は、サブタンク内において、インク流入口３１ａよりもインク供給経路（本発明の液体供給経路）の下流側に配置されるよう、弾性支持部材３５により支持されている。即ち、メッシュプレス部材３２は、静止状態では、当該メッシュプレス部材３２よりもインク供給経路の下流側にはインク流入口３１ａが存在せず、且つその下流側にはインクが充填された状態となるような位置に配置される。
【００９２】
また、図５に示したように、メッシュプレス部材３２は外周が楕円形状となっているが、この形状や大きさはサブタンク３１の内壁の断面形状とほぼ同じである。つまり、メッシュプレス部材３２はその外周全体がサブタンク３１の内壁に接するように、言い換えれば、サブタンク３１内のインク供給経路を遮るように形成・配置されているのである。但し、メッシュプレス部材３２にはその全面に渡って複数のインク流路３２ａがメッシュ状に形成されているため、このメッシュプレス部材３２の上流側・下流側でインクが完全に遮断されるわけではなく、複数のインク流路３２ａを介してインクが通過可能となっている。
【００９３】
一方、連結軸３４の他端に接続された弾性支持部材３５は、ブチルゴムやフッ素ゴム等の気体透過性の低い弾性体によって球面状に形成されたものであり、その外周がサブタンク３１に接着されると共に、サブタンク３１に対向する面の中心部に、サブタンク３１上部の穴から突出した連結軸３４の先端が接着剤等で接続されている。これにより、サブタンク３１の内部空間、即ちインク３６が貯蔵される内部空間の内壁の一部は、弾性支持部材３５によって構成されることとなる。
【００９４】
このように連結軸３４の先端（他端）が弾性支持部材３５に接続されていることにより、通常時は図４に示したような状態で正圧付与部３９がサブタンク３１内で静止状態にされる。そして、弾性支持部材３５がその上部から下方向に荷重を受けると、弾性支持部材３５はサブタンク３１の内部空間側へ凹むように弾性変形し、これにより連結軸３４も下方向に押し下げられ、メッシュプレス部材３２は押圧されて下方向（インク供給経路の下流側）に移動する。
【００９５】
そして、弾性支持部材３５への荷重がなくなって自由状態になると、それまで凹んでいた弾性支持部材３５はその弾性力によって元の形に復元することになる。これにより、下流側に移動されていたメッシュプレス部材３２も、再び上流側に移動して元の静止状態の位置に戻ることとなる。
【００９６】
＜回復動作の流れ＞
このように構成されたインクジェット記録装置７における、回復動作（正圧パージ）の流れについて、図６に基づいて説明する。図６に示すように、まず回復動作が開始される前の第１ＳＴＥＰでは、押圧ローラ駆動装置１２における押圧ローラ１４が弾性支持部材３５の頂部よりも高い退避位置にあり、メッシュプレス部材３２は静止状態の位置にある。この静止状態の位置は、図４に示した位置と同じである。
【００９７】
そして、回復動作が開始された第２ＳＴＥＰでは、ローラ軸駆動部１３がローラ軸１３ａを下方向に延ばすことで、押圧ローラ１４をサブタンク３１に接近、固定させる。この第２ＳＴＥＰにてローラ軸駆動部１３がローラ軸１３ａを下方向に延ばして固定させたときの押圧ローラ１４の位置（図６の第２ＳＴＥＰおよび第３ＳＴＥＰに示される位置）が、本発明の押圧位置に相当する。
【００９８】
その後、第３ＳＴＥＰでは、キャリッジ４が記録領域方向に移動（即ちヘッドユニット１１が記録領域方向に移動）することでサブタンク３１の上部に設けられた弾性支持部材３５が押圧ローラ１４に接近していき、ついには両者が当接する。そして、キャリッジ４が進むにつれて（つまり図６においてサブタンク３１が左方向に進むにつれて）弾性支持部材３５は押圧ローラ１４から荷重を受けてサブタンク３１の内部空間側に凹むように弾性変形し、連結軸３４を押下させ、延いてはメッシュプレス部材３２を押圧して下流側に移動させる。
【００９９】
このとき、メッシュプレス部材３２の移動速度はキャリッジ４の移動速度に依存することになるが、本実施形態では、メッシュプレス部材３２が下流側に移動した時、メッシュプレス部材３２の下流側領域に、記録ヘッド６９のノズル３７からインク３６を吐出させるのに必要な圧力が加わるよう、キャリッジ４の移動速度を決めている。具体的には、メッシュプレス部材３２に形成されたインク流路３２ａの数や断面積などに基づいて、どの程度の速度でメッシュプレス部材３２を下流側に移動させれば各インク流路３２ａに十分な流路抵抗が生じて下流側が十分に加圧されるかを考慮しつつ、キャリッジ４の移動速度を決めればよい。
【０１００】
そのため、キャリッジ４の移動により弾性支持部材３５が弾性変形して連結軸３４を押下させることにより連結部材３８がメッシュプレス部材３２を押圧し、その連結部材３８からの押圧を受けてメッシュプレス部材３２がインクを直接押圧しながら下流側に移動すると、メッシュプレス部材３２に形成された複数のインク流路３２ａを介してインクが上流側に流れ込むものの、その際、インク流路３２ａの流路抵抗が生じることにより、メッシュプレス部材３２の下流側は加圧される。そのため、この加圧によって記録ヘッド６９のノズル３７からインクや異物等が強制的に吐出され、これにより回復機能（正圧パージ）が実現されることとなる。
【０１０１】
回復動作が行われた後、更にキャリッジ４の移動が進んだ第４ＳＴＥＰでは、押圧ローラ１４が弾性支持部材３５から離れ、押圧ローラ１４自身も再び元の退避位置（第１ＳＴＥＰの位置）にまで戻る。そのため、それまで押圧ローラ１４からの荷重を受けて凹んでいた弾性支持部材３５はその荷重から開放されて自由状態となり、再び元の形状（第１ＳＴＥＰの形状）に戻ろうとする。このときの復元力が、連結軸３４を上方に引き上げてメッシュプレス部材３２を元の静止状態の位置に戻すための付勢力となり、弾性支持部材３５が元の形状に戻るのに従ってメッシュプレス部材３２も元の静止状態の位置に戻っていく。
【０１０２】
このとき、メッシュプレス部材３２が急激に上昇すると、その速度によっては、メッシュプレス部材３２の下流側の負圧が大きくなって、ノズル３７におけるインクのメニスカスが維持されなくなるおそれがある。そのため本実施形態では、ノズル３７内のメニスカスが維持される範囲内の速度でメッシュプレス部材３２が上昇していくように弾性支持部材３５の材質・形状等を選択している。つまり、弾性支持部材３５は、メッシュプレス部材３２の上昇により下流側に負圧が生じてもノズル３７内のメニスカスが維持されるように連結軸３４を付勢（延いてはメッシュプレス部材３２を付勢）するのである。
【０１０３】
以上、図４〜図６を用いてブラックのインク３６が貯蔵されるサブタンク３１の構成とその回復動作について説明したが、他の３つのサブタンク４１，５１，６１についても、その構成や回復動作の流れは、貯蔵されるインクの色が異なることを除き、上述したサブタンク３１と全く同じである。
【０１０４】
具体的には、図４（ａ）に示す如く、シアンのインク４６が貯蔵されたサブタンク４１には、メッシュプレス部材４２と、連結軸４４および支持板４３からなる連結部材と、連結軸４４の先端に接続された弾性支持部材４５とが備えられている。また、イエローのインク５６が貯蔵されたサブタンク５１には、メッシュプレス部材５２と、連結軸５４および支持板５３からなる連結部材と、連結軸５４の先端に接続された弾性支持部材５５とが備えられている。また、マゼンダのインク６６が貯蔵されたサブタンク６１には、メッシュプレス部材６２と、連結軸６４および支持板６３からなる連結部材と、連結軸６４の先端に接続された弾性支持部材６５とが備えられている。
【０１０５】
そして、これら各サブタンク４１，５１，６１も、図示は省略するものの、それぞれ対応する色のインクが収容されたインクカートリッジにインク供給チューブを介して接続されており、そのインクカートリッジから対応するサブタンクへインクが供給される。
【０１０６】
＜回復処理＞
ここで、インクジェット記録装置７の電気的構成について、図７のブロック図を用いて説明する。図７に示すように、インクジェット記録装置７は、ＣＰＵ１１１、ＲＯＭ１１２、ＲＡＭ１１３及びＥＥＰＲＯＭ１１４を有する制御装置１１０を備えている。
【０１０７】
この制御装置１１０は、記録用紙２０の有無やその先端部、後端部、幅方向における端縁などを検出可能な周知のメディアセンサやレジストセンサなどからなる各種センサ群１１６、記録用紙２０の搬送量（位置）を検出する用紙搬送用エンコーダ１１７、操作パネル６、キャリッジ送り用エンコーダ１１８などと電気的に接続されている。
【０１０８】
そして更に、制御装置１１０は、給紙モータ１２２を駆動するための給紙モータ駆動回路１２０ａ、用紙搬送モータ１２３を駆動するための搬送モータ駆動回路１２０ｂ、キャリッジモータ２８を駆動するためのキャリッジモータ駆動回路１２０ｃ、記録ヘッド６９を駆動（インクを噴射）するための記録ヘッド駆動回路１２０ｄ、ローラ軸駆動部１３を駆動するためのローラ軸駆動回路１２０ｅ、キャップ駆動部２２を駆動するためのキャップ駆動回路１２０ｆ、およびワイパー駆動部１９を駆動するためのワイパー駆動回路１２０ｇの各々と電気的に接続されている。
【０１０９】
そして、ＲＯＭ１１２やＥＥＰＲＯＭ１１４に格納された各種プログラムに従ってＣＰＵ１１１が各駆動回路１２０ａ〜１２０ｇを制御することで、それぞれの駆動対象が駆動・制御されることとなる。なお、既述の通り、給紙モータ１２２の回転により給紙ローラ８が駆動され、用紙搬送モータ１２３の回転により搬送ローラ７ａが駆動される。
【０１１０】
また、本実施形態において、制御装置１１０は、パーソナルコンピュータ（以下「ＰＣ」と略す）１２５と通信可能に接続されており、ＰＣ１２５からの記録指示に従い、この記録指示と共に送られてくる画像データの表わす画像を記録用紙２０に記録するための周知の記録処理を行う。そして、この記録処理の中で、必要に応じて上述した回復動作が実行される。
【０１１１】
以下、この記録処理について説明する。図８は、ＣＰＵ１１１にて実行される記録処理を表すフローチャートである。多機能装置１では、ＰＣ１２５からの記録指示受信時やファクシミリデータの受信時、或いはコピー機能における記録動作が行われる際など、記録用紙２０への画像記録が必要となったタイミングで、ＣＰＵ１１１がＲＯＭ１１２から記録処理プログラムを読み出し、このプログラムに従って処理を実行する。この記録処理は画像記録を行うタイミング毎に行われるものである。
【０１１２】
この処理が開始されると、まずステップ（以下「Ｓ」と略す）１１０にて、キャップ駆動部２２によりキャップ２１が駆動されて記録ヘッド６９から外される。そして、Ｓ１２０にて回復動作実行タイミングか否かが判断される。この判断は、例えば、前回この記録処理を行ってから所定時間が経過したか否かによって行うことができ、回復動作実行タイミングでなければそのままＳ２００に移行して画像記録を行う。つまり、回復動作を行うことなく画像記録を開始するのである。
【０１１３】
一方、回復動作実行タイミングであれば、Ｓ１３０に進み、押圧ローラ１４が降下される。つまり、押圧ローラ駆動装置１２が図６中の第２ＳＴＥＰの状態となる。そしてＳ１４０にて、パージ圧力が「強」又は「弱」のいずれに設定されているかが判断される。この設定は、予めデフォルトでどちらか一方に設定され、ユーザが操作パネル６を操作して設定変更できるものであってもよいし、前回記録処理を行ってからの経過時間の大小に基づいて自動的に選択設定されるものであってもよい。後者の場合、例えばある一定の閾時間以上経過していた場合はパージ圧力を「強」にし、閾時間まで経過していない場合はパージ圧力を「弱」に設定するようにしてもよい。
【０１１４】
そして、Ｓ１４０の処理で「強」と判定された場合は、Ｓ１５０に移行し、キャリッジ４を速度ａで記録領域方向に移動させることで正圧パージ（回復動作）を実行する。一方、Ｓ１４０の処理で「弱」と判定された場合は、Ｓ１６０に移行し、キャリッジ４を速度ｂで記録領域方向に移動させて正圧パージを実行する。ここで、速度ａと速度ｂとは、ａ＞ｂの関係にある。つまり、「強」設定の場合はキャリッジ４の移動速度を速くして各メッシュプレス部材３２，４２，５２，６２の下流側への圧力を大きくし、より強くインクを吐出させる。逆に「弱」設定の場合はキャリッジ４の移動速度を遅くして各メッシュプレス部材３２，４２，５２，６２の下流側への圧力を小さくし、弱めにインクを吐出させる。
【０１１５】
このように、本実施形態では、弾性支持部材３５が押圧ローラ１４に当接して弾性変形する際のキャリッジ４の移動速度（即ちヘッドユニット１１の移動速度）をａまたはｂのいずれかに変更できるよう構成されているのである。
【０１１６】
図９に、キャリッジ４の移動速度とメッシュプレス部材３２の下流側の加圧値との関係を示す。図示の如く、キャリッジ４の移動速度が速くなるほど加圧値も上昇していく。ただし、ある速度を超えると加圧値は一定値に収束する。そのため、キャリッジ移動速度がａである「強」設定の場合の加圧値は、キャリッジ速度がｂ（＜ａ）である「弱」設定の場合の加圧値よりも大きくなってインク吐出量も多くなるのである。
【０１１７】
上記Ｓ１５０又はＳ１６０の処理により４つのサブタンク３１，４１，５１，６１の全てについて回復動作がなされた後は、Ｓ１７０にて既述のワイピングが実行され、Ｓ１８０にて押圧ローラ１４が元の退避位置に戻される。そしてＳ１９０にて、キャリッジ４を再びホームポジション方向に移動させて記録ヘッド６９を廃インク受皿１６に対向させ、既述のフラッシングが行われる。
【０１１８】
このようにして回復動作およびそれに付随する各種動作が行われた後は、Ｓ２００に移行して画像記録が行われる。そして、画像記録終了によりキャリッジ４がホームポジションに戻された後は、Ｓ２１０にて、記録ヘッド６９がキャップ２１によって再びキャッピングされる。
【０１１９】
＜本実施形態の効果等＞
以上説明した本実施形態のインクジェット記録装置７によれば、サブタンク３１の内壁の一部が弾性支持部材３５で形成されるとともに、当該装置が元々備えるキャリッジモータ２８やキャリッジ４などからなるヘッドユニット１１を移動させるための機構を利用して、ヘッドユニット１１の移動時に弾性支持部材３５を押圧ローラ１４に当接させて弾性変形させ、これにより連結部材３８を介してメッシュプレス部材３２を下流側に移動させるようにしている。そして、このメッシュプレス部材３２の移動により下流側のインクが直接押圧され、下流側が加圧されてインクがノズル３７から吐出して回復動作が実現される。
【０１２０】
そのため、回復動作のための空気加圧ポンプやその駆動源、駆動連結機構等の設置を抑えつつ、簡単な構成でしかもユーザの手を煩わせることなく、正圧パージ方式によるノズル３７の回復動作を行うことが可能となる。
【０１２１】
しかも、連結部材３８を介してメッシュプレス部材３２を下流側に移動させるだけの簡単な構成で、サブタンク３１内のインク３６を直接加圧することによる回復動作が実現できるため、圧力損失や回復動作時のインクの消費量が抑えられ、効率的かつ確実にインクを吐出させることができる。さらに、メッシュプレス部材３２にはインク流路３２ａが複数形成されているため、通常の記録媒体への記録中も常にインク流路３２ａを介してインク３６を記録ヘッド６９側へ供給することができる。また、回復動作後にメッシュプレス部材３２が元の静止状態の位置（上流側）に戻されても、インク流路３２ａを介してインク３６が下流側に流れるため、ノズル３７からのインク逆流を防止できる。
【０１２２】
また、連結軸３４の先端が弾性支持部材３５に接続されて支持されており、回復動作時にはこの弾性支持部材３５が外力を受けて変形する（下方に凹む）ことでメッシュプレス部材３２が下流側に移動し、回復動作後に弾性支持部材３５への外力が取り除かれると弾性支持部材３５は元の形状に復元して、その復元時の付勢力によってメッシュプレス部材３２は元の静止状態の位置に戻る。そのため、ユーザの手を煩わすことなく、しかも簡単な構成で、メッシュプレス部材３２の支持および移動後の復帰を行うことができる。
【０１２３】
更に、メッシュプレス部材３２は、形状・断面積の等しいインク流路３２ａがメッシュ状に複数形成された構成であるため、インク３６中を下流側に移動させたときの各インク流路３２ａの流路抵抗がメッシュプレス部材３２の全面に渡って均一となり、下流側のインク充填領域全体を均等に加圧できる。そのため、下流側をバランス良く加圧することができ、より効率的な回復動作を行わせることが可能となる。
【０１２４】
更にまた、弾性支持部材３５は、回転体である押圧ローラ１４に当接することによってその荷重を受けて弾性変形する。しかもその弾性支持部材３５の移動方向は、押圧ローラ１４の回転方向とほぼ同じであって、弾性支持部材３５が押圧ローラ１４に当接しながら移動している間、押圧ローラ１４は弾性支持部材３５から受ける回転方向の荷重によって回転しながら弾性支持部材３５に当接することになる。そのため、押圧ローラ１４および弾性支持部材３５の双方の耐久性を向上させることが可能となる。
【０１２５】
そして、回復動作タイミングのときのみ、押圧ローラ１４を降下させて回復動作を実行させ、それ以外は、押圧ローラ１４を退避位置に退避させて弾性支持部材３５が押圧ローラ１４に当接しないようにしている。そのため、回復動作実行タイミングでないにもかかわらずヘッドユニット１１が押圧ローラ１４の位置近傍を通過する度に回復動作が行われることなく、インクの無駄な消費が防止され、より効率的な回復動作の実現が可能となる。
【０１２６】
また、ヘッドユニット１１の移動速度に応じて回復動作時のパージ圧力を「強」又は「弱」のいずれかに選択できる（つまり、液滴吐出量を二種類のうちいずれか一方に設定できる）ため、ノズルの状態に応じた適切な弾性変形量（加圧圧力）での回復動作が可能となり、回復動作をより効率的に行うことができる。
【０１２７】
なお、本実施形態において、記録ヘッド６９は本発明の噴射ヘッドに相当し、インクカートリッジ７１は本発明のメインタンクに相当し、インク流路３２ａは本発明の液体流路に相当し、キャリッジ４、ガイドバー２４、キャリッジモータ２８、及び無端ベルト２５からなる、ヘッドユニット１１を移動（往復移動）させるための構成が本発明のヘッドユニット移動手段に相当し、弾性支持部材３５は本発明（請求項３）の弾性加圧手段に相当し、ローラ軸駆動部１３は本発明の第１駆動手段に相当し、押圧ローラ１４は本発明の回転体に相当し、ローラ軸１３ａは本発明の支持軸に相当する。
【０１２８】
［第２実施形態］
上記第１実施形態では、図８の記録処理で説明したように、回復動作タイミングで回復動作を行う際、押圧ローラ１４を所定の押圧位置に降下させると、そのまま４つの全てのサブタンク３１，４１，５１，６１が通過するまで降下させたままの状態とし、全てのサブタンク３１，４１，５１，６１が通過して各サブタンクの回復動作が行われた後に、押圧ローラ１４を再び退避位置に退避させるようにしていた。
【０１２９】
これに対し、本実施形態では、各サブタンク３１，４１，５１，６１のそれぞれについて押圧ローラ１４を押圧位置へ降下させるか否かを選択できるようにしている。それ以外の構成は、上記第１実施形態のインクジェット記録装置７と全く同じであるため、本実施形態ではインクジェット記録装置７の各部構成についての説明は省略する。そして、本実施形態が上記第１実施形態と異なる回復動作時の処理内容について、図１０に基づいて説明する。
【０１３０】
図１０は、本実施形態のクリーニング処理を表すフローチャートである。本実施形態では、ユーザが記録ヘッド６９の状態をチェックしたい場合に多機能装置１の操作パネル６で所定の操作をすることによりこのクリーニング処理が開始される。
【０１３１】
この処理が開始されると、まずＳ３１０にて、テストパターンが記録用紙２０に記録される。これは、キャリッジ４を移動させつつ記録ヘッド６９から各色のインクを噴射することにより、所定のパターンを記録するものである。そして、テストパターンの記録後、ユーザに対してクリーニングを実行するか否かを問い合わせる。この問い合わせは、例えば、操作パネル６にてメッセージを表示するようにしてもよいし、また例えば、当該多機能装置１と接続されたパーソナルコンピュータ等の情報処理装置が備える表示装置（図示略）にメッセージを表示させるようにしてもよい。
【０１３２】
ユーザは、テストパターンの記録結果をみて、記録ヘッド６９のクリーニングが必要が否か、即ち、正圧パージによる回復動作を実行させるべきか否かを判断する。そして、テストパターンが正常に記録されていてクリーニングの必要はないと判断し、その旨を操作パネル６あるいは記述の情報処理装置にて入力した場合は、Ｓ３３０にて否定判定され、そのままこのクリーニング処理が終了する。
【０１３３】
一方、テストパターンが正常に印刷されておらず、クリーニングが必要であるとユーザが判断してその旨を操作パネル６あるいは記述の情報処理装置にて入力した場合は、Ｓ３３０からＳ３４０に進み、クリーニング（回復動作）を行うべきインクの色を選択するよう指示される。この指示も、例えば操作パネル６或いは情報処理装置においてメッセージを表示するようにして実現できる。
【０１３４】
そして、ユーザがクリーニングすべき色を選択・入力すると（Ｓ３５０：ＹＥＳ）、Ｓ３６０に進み、キャリッジ４の移動が開始され、これにより各色のサブタンク３１，４１，５１，６１の移動が開始される。そして、続くＳ３７０にて、選択された色のインクが貯蔵されたサブタンクがパージ開始前の位置（そのサブタンクが備える弾性支持部材が押圧ローラ１４に当接する前の所定の位置）に到達したか否かが判断される。この判断や、後述するＳ３９０の判断は、いずれも、キャリッジ送り用エンコーダ１１８にて検出されるキャリッジ位置に基づいて行われる。
【０１３５】
そして、パージ開始前位置に到達したときに（Ｓ３７０：ＹＥＳ）、押圧ローラ１４を押圧位置まで降下させる（Ｓ３８０）。これにより、選択された色のサブタンクに対する回復動作の準備が整うこととなる。
【０１３６】
その後、キャリッジ４が移動を続けると、ついにはその選択された色のサブタンクが備える弾性支持部材に押圧ローラ１４が当接し、弾性支持部材が弾性変形していく。これにより、メッシュプレス部材３２が押圧されて下流側に移動し、そのサブタンクに対応したノズルからインクが吐出して、回復動作が実現されることとなる。
【０１３７】
その回復動作が終了して弾性支持部材が押圧ローラ１４から離れると（Ｓ３９０：ＹＥＳ）、押圧ローラ１４は再び退避位置に退避される（Ｓ４００）。そして、Ｓ４１０にて、選択された全ての色に対応したサブタンクにつき回復動作が終了したか否かが判断され、終了していなければＳ３７０に戻ってＳ３７０以下の処理を繰り返すことになるが、終了していれば、Ｓ４２０にて既述のワイピングが実行され、さらにＳ４３０にて既述のフラッシングが行われて、このクリーニング処理が終了する。なお、フラッシング後は記録ヘッド６９がキャップ２１で覆われることになる。
【０１３８】
この処理により、例えば回復動作させるべき色としてシアンとイエローが選択された場合は、キャリッジ４の移動によりまず最初に押圧ローラ１４に接近するサブタンク３１（ブラックのインクが貯蔵）に対しては押圧ローラ１４は降下せず退避位置のままである。
【０１３９】
そして、続くサブタンク４１（シアンのインクが貯蔵）の弾性支持部材４５がパージ開始前位置に到達すると（Ｓ３７０：ＹＥＳ）、押圧ローラ１４が降下する。そのため、この弾性支持部材４５はキャリッジ４の移動に伴って押圧ローラ１４に当接し、これにより受ける荷重によって弾性支持部材４５が弾性変形してメッシュプレス部材４２が下流側に移動する。この結果、シアンのインクがノズル４７から吐出し、回復動作が実現されることとなる。
【０１４０】
その後、押圧ローラ１４は一旦退避位置に退避されるものの（Ｓ４００）、イエローのインクが貯蔵されたサブタンク５１の弾性支持部材５５がパージ開始前位置に到達すると（Ｓ３７０：ＹＥＳ）、押圧ローラ１４が再び降下し、シアンの場合と同様に回復動作が実現される。これにより、選択された色全てについて回復動作が終了したことになるため、押圧ローラ１４は退避位置に戻される。
【０１４１】
以上説明した第２実施形態によれば、キャリッジ４の移動方向（ヘッドユニット１１の移動方向）に沿って設けられた複数のサブタンク３１，４１，５１，６１が押圧ローラ１４の近傍を順次通過する際に、回復動作させるべきサブタンクの弾性加圧部材が通過するときのみ押圧ローラ１４を降下させて押圧位置に移動させ、それ以外のサブタンクが通過する際は押圧ローラ１４を退避位置に退避させておくことが可能となるため、回復動作を必要に応じてより効率的に行うことが可能となる。
【０１４２】
なお、上述したクリーニング処理のようにインク色毎に回復動作させるべきものと回復動作の必要がないものとに分けて選択的に回復動作を行わせるような処理は、クリーニング処理時のみに限るものではない。例えば、上記第１実施形態の図８で説明した記録処理において回復動作タイミングで回復動作を実行する際も、回復動作を実行する必要のある色のサブタンクのみを回復動作させる（即ちそのサブタンク通過時のみ押圧ローラ１４を降下させる）ようにしてもよい。その際、回復動作させるべきサブタンクとそうでないサブタンクとの区別は、例えば、インクジェット記録装置７が、色毎のインクの使用頻度を自動的に判別して、使用頻度の低いインクのサブタンクのみを回復動作させるようにしてもよいし、また例えば、回復動作に移行する際にユーザに問い合わせて、ユーザに選択させるようにしてもよい。
【０１４３】
本実施形態において、Ｓ３４０およびＳ３５０により本発明の押圧対象サブタンク設定手段が構成される。また、このＳ３４０およびＳ３５０にて選択された色のインクが貯蔵されたサブタンクが、本発明の押圧対象サブタンクに相当する。
【０１４４】
［第３実施形態］
上記第１実施形態では、図８の記録処理で説明したように、回復動作タイミングで回復動作を行う際、キャリッジ４の移動速度をａまたはｂのいずれかに設定することでインクの吐出量を調節できるようにした。
【０１４５】
これに対し、本実施形態では、サブタンクが備える弾性支持部材が押圧ローラ１４に当接した後、そのまま押圧ローラ１４が離れるまで完全に通過させるか、或いは、押圧ローラ１４と当接して弾性変形していく途中で押圧ローラ１４を退避位置に退避させるかのいずれかによって、正圧パージ時の圧力を調節し、ひいては回復動作によるインクの吐出量を調節できるようにしている。それ以外の構成は、上記第１実施形態のインクジェット記録装置７と全く同じであるため、本実施形態でもインクジェット記録装置７の各部構成についての説明は省略する。そして、本実施形態が上記第１実施形態と異なる回復動作時の処理内容について、図１１〜図１４に基づいて説明する。
【０１４６】
まず図１１は、本実施形態におけるヘッドユニット１１と押圧ローラ１４との相対的位置関係を説明するための説明図である。本実施形態では、正圧パージを行う際のパージ圧力を、上記第１実施形態と同じように「強」又は「弱」のいずれかに設定できるようにされている。このうち、パージ圧力が「強」の場合は、各弾性支持部材３５，４５，５５，６５が通過する間、常に押圧ローラ１４を押圧位置に降下させる。
【０１４７】
一方、パージ圧力が「弱」の場合は、各弾性支持部材３５、４５，５５，６５の全てにつき、押圧ローラ１４は、当接開始から所定距離移動した時点で退避位置に退避される。  具体的には、図１１に示す如く、ヘッドユニット１１が押圧ローラ１４に近づく方向（図１１の左方向）に移動していくことにより、押圧ローラ１４の位置Ｐpgにサブタンク３１の端部位置Ｐ10が到達すると、押圧ローラ１４が下降する。そして、そのまま移動が進み、押圧ローラ１４の位置Ｐpgにサブタンク３１における停止位置Ｐ11が到達すると、まだ弾性支持部材３５が弾性変形させられている途中であるものの押圧ローラ１４を退避位置に退避させるのである。
【０１４８】
その後、同様にして、サブタンク４１の端部位置Ｐ20にて押圧ローラ１４が再び降下した後、そのサブタンク４１における停止位置Ｐ21にて押圧ローラ１４が再び退避し、更に、サブタンク５１の端部位置Ｐ30にて押圧ローラ１４が降下→サブタンク５１における停止位置Ｐ31にて押圧ローラ１４が退避→サブタンク６１の端部位置Ｐ40にて押圧ローラ１４が降下→サブタンク６１における停止位置Ｐ41にて押圧ローラ１４が退避、というように、押圧ローラ１４が退避位置と押圧位置との間で繰り返し移動されることとなる。
【０１４９】
押圧ローラ１４の位置Ｐpgにサブタンク３１の停止位置Ｐ11が到達したときの状態を図１２（ａ）に示す。また、図１２（ｂ）は、押圧ローラ１４の位置Ｐpgにサブタンク３１の中心位置（即ち弾性支持部材３５の頂点位置）Ｐｃが到達したときの状態を表す。
【０１５０】
図１１および図１２に示す如く、押圧ローラ１４の位置Ｐpgに停止位置Ｐ11が到達したときは、弾性支持部材３５は押圧ローラ１４によってある程度は弾性変形されている。しかし、押圧ローラ１４が中心位置Ｐｃに到達したときは、当然ながら停止位置Ｐ11に到達した状態よりもさらに大きくサブタンク内部空間側へ弾性変形されている。
【０１５１】
即ち、パージ圧力が「強」に設定されているときは、各弾性支持部材３１，４１，５１，６１はいずれも押圧ローラ１４を完全に通過するため、図１２（ｂ）に示したように十分に弾性変形することになる。一方、パージ圧力が「弱」に設定されているときは、各弾性支持部材３１，４１，５１，６１はいずれも、対応する停止位置Ｐ11，Ｐ21，Ｐ31，Ｐ41にて押圧ローラ１４が退避するため、弾性変形の程度は小さくなる。
【０１５２】
このように、弾性支持部材に対する押圧ローラ１４の位置によって弾性変形の程度が異なり、ひいては加圧値が異なってくることを表しているのが図１３のグラフである。図１３の横軸において、最も左側の「始点」は、弾性支持部材の中で押圧ローラ１４の当接が開始される点を示す。即ち、図１１における端部位置Ｐ10，Ｐ20，Ｐ30，Ｐ40のそれぞれよりも若干移動が進んで各弾性支持部材３５，４５，５５，６５における端部（図１１では左端部）に当接し始める点がこの「始点」に相当する。
【０１５３】
そして、押圧ローラ１４の当接位置がこの「始点」から徐々に弾性支持部材の中心位置方向に移動していくに従い、加圧値（即ちメッシュプレス部材３２，４２，５２，６２の下流側の加圧値）は徐々に増加していく。この加圧値は、押圧ローラ１４が弾性支持部材の「中心点」まで到達して弾性支持部材の弾性変形量が最も大きくなったときに最大値をとる。この「中心点」を超えて押圧ローラ１４が弾性支持部材の端部（図１１における右側の端部）である「終点」に近づくにつれ、弾性支持部材は徐々に元の形状に復元していくため、加圧値も徐々に小さくなっていく。そして、押圧ローラ１４が弾性支持部材から離れる「終点」において加圧値は０となる。
【０１５４】
そのため、弾性支持部材３５が押圧ローラ１４に当接した後、停止位置Ｐ11まで進んだところでキャリッジ４の移動を停止させた場合（図１２（ａ）参照）よりも、停止させずに少なくとも弾性支持部材３５の中心位置Ｐｃまで移動させた場合（図１２（ｂ）参照）の方が、より大きく加圧することができ、勢いよくインクを吐出させることができるのである。なお、図１３のグラフでは、押し量（押圧位置）の異なる三種類のグラフが描かれているが、これら三種類のグラフの違いについては、後述の第４実施形態で説明する。
【０１５５】
次に、上記のように停止位置が設定された本実施形態におけるクリーニング処理について、図１４に基づいて説明する。このクリーニング処理は、図１０で説明した第２実施形態のクリーニング処理と同様、ユーザが記録ヘッド６９の状態をチェックしたい場合に多機能装置１の操作パネル６で所定の操作をすることにより開始されるものである。そして、開始後のＳ５１０〜Ｓ５３０までの処理は、図１０におけるＳ３１０〜Ｓ３３０までの処理と全く同じであるため、ここではその説明を省略する。
【０１５６】
そして、テストパターンが正常に印刷されておらず、クリーニングが必要であるとユーザが判断してその旨を操作パネル６あるいは記述の情報処理装置にて入力したことにより、Ｓ５４０に進むと、パージ圧力が「強」又は「弱」のいずれに設定されているかが判断される。この判断は、図８に示した第１実施形態の記録処理におけるＳ１４０の処理と同じである。
【０１５７】
このとき、「強」に設定されている場合は、押圧ローラ１４を降下させたまま各弾性支持部材３５，４５，５５，６５の全てを通過させればよい。そのため、Ｓ５５０にて押圧ローラ１４を押圧位置に降下させ、続くＳ５６０にてキャリッジ４の移動を開始させて正圧パージを行う。そして、押圧ローラ１４が全ての弾性支持部材３５，４５，５５，６５に当接してこれらを最大量弾性変形させ、各ノズル３７，４７，５７，６７につき正圧パージがなされた後は、Ｓ５６５にて押圧ローラ１４を退避位置に退避させる。退避後は、Ｓ６８０にて既述のワイピングを行い、さらにＳ６９０にて既述のフラッシングを行った後、記録ヘッド６９をキャップ２１でキャッピングしてこのクリーニング処理を終了する。
【０１５８】
一方、パージ圧力が「弱」に設定されていた場合は、Ｓ５４０からＳ５７０に進み、変数ｓに１を代入するとともに変数ｔに０を代入する。そして、Ｓ５８０にてキャリッジ４の移動を開始させる。
【０１５９】
キャリッジ４の移動開始後、Ｓ５９０にて、ヘッドユニット１１における位置Ｐstが、押圧ローラ１４の存在する位置であるＰpgに到達したか否かが判断される。この判断は、キャリッジ送り用エンコーダ１１８にて検出されるキャリッジ位置に基づいて行われる。
【０１６０】
はじめてＳ５９０の判断処理が行われるときは、ｓ＝１、ｔ＝０にセットされているため、Ｐ10（図１１参照）がＰpgに到達したか否かが判断されることとなる。そして、到達した場合は、Ｓ６００にて押圧ローラ１４を押圧位置に降下させ、Ｓ６１０でｔに１を代入する。この時点で、ｓ＝１、ｔ＝１にセットされたこととなる。その後、Ｓ６２０にて、Ｐst（＝Ｐ11）がＰpgに到達したか否か、即ちサブタンク３１における停止位置Ｐ11がＰpgに到達したか否かが判断される。
【０１６１】
到達したと判断された場合、Ｓ６３０にてキャリッジ４を停止させ、Ｓ６４０にて押圧ローラ１４を退避させる。そして、Ｓ６５０にて、ｓ＝４であるか否かが判断される。これは即ち、最後の（四番目の）サブタンク６１の弾性支持部材６５における停止位置Ｐ41が押圧ローラ１４まで達したか否かが判断されることを意味する。
【０１６２】
ｓ＝４でない場合は、Ｓ６６０に進んで、現在のｓの値に１を加えたものを新たなｓとするとともに、ｔに０を代入する。その後に、Ｓ６７０にてキャリッジ４の移動を再開させて、再びＳ５９０以降の処理を行う。Ｓ６５０でｓ＝４と判断された場合は、既述のＳ６８０以降の処理に進むことになる。
【０１６３】
以上説明した本実施形態によれば、パージ圧力が「弱」の場合は、押圧ローラ１４が弾性支持部材に当接して弾性変形させている途中の停止位置（Ｐ11，Ｐ21，Ｐ31，Ｐ41）で押圧ローラ１４を退避させるようにし、パージ圧力が「強」の場合は退避させずに押圧ローラ１４を当接させたまま完全に移動させるようにしているため、記録ヘッド６９のノズルの状態に応じた適切な弾性変形量（加圧圧力）で回復動作させることが可能となり、回復動作をより効率的に行うことができる。
【０１６４】
なお、本実施形態において、各サブタンク３１，４１，５１，６１に対してそれぞれ一つ設定された、キャリッジ４を停止させる停止位置Ｐ11，Ｐ21，Ｐ31，Ｐ41が、いずれも本発明の停止位置に相当するものである。この停止位置は、各サブタンクにつきそれぞれ一つ設定するのに限らず、異なる二つの停止位置或いは三つ以上の停止位置を設定して、停止位置に応じてパージ圧力を多段階に調節できるようにしてもよい。
【０１６５】
［第４実施形態］
上記第１〜第３実施形態ではいずれも、押圧ローラ１４を退避位置または一定の押圧位置のいずれかに移動させることができるよう構成されていたが、本実施形態では、押圧ローラが弾性支持部材３５，４５，５５，６５に当接する際の押圧位置を３種類のいずれかに選択できるように構成されている。言い換えれば、３種類の押圧位置を設定することで、３種類の加圧値いずれかを選択できるように構成されている。
【０１６６】
これにより、本実施形態が上記各実施形態と異なるのは、押圧ローラ１４を含む押圧ローラ駆動装置１２の構成であり、それ以外は上記各実施形態と同じである。そのため、以下の説明では、押圧ローラ１４を移動させる機構とクリーニング処理について、図１５および図１６に基づいて説明する。
【０１６７】
図１５は、本実施形態における、押圧ローラ１４の位置の変化を説明するための説明図である。図１５に示す如く、本実施形態の押圧ローラ駆動機構は、ローラ軸１３ａの端部を支持・固定するローラ固定部材１３０と、このローラ固定部材１３０を上下方向に移動させるための偏心カム１３２と、この偏心カム１３２の回転軸１３３に回転駆動力を伝達するとともに選択された所定の角度だけ回転させることが可能な回転制御装置（図示略）とを備えている。ローラ固定部材１３０は、図示しないバネ等の弾性部材によって常時上方向（偏心カム１３２方向）の付勢力を受けている。
【０１６８】
そして、偏心カム１３２は、図１５（ａ）〜同図（ｄ）に示した４種類の回転位置のいずれかに回転させて停止させることができるよう構成されている。このうち、図１５（ａ）に示す状態は、ローラ固定部材１３０の頂部の位置がｓ10となるとともに、押圧ローラ１４の最下面の位置がｓ20となっている状態である。即ち、４種類の位置のうち最も上方である退避位置にある状態を示している。
【０１６９】
これに対し、偏心カム１３２を反時計回りに約９０°回転させると、図１５（ｂ）の状態になる。この状態では、ローラ固定部材１３０の頂部の位置がｓ11に降下するとともに押圧ローラ１４の最下面の位置がｓ21（第１押圧位置とも称す）まで降下する。
【０１７０】
この状態からさらに偏心カム１３２を反時計回りに約４５°回転させると、図１５（ｃ）の状態になる。この状態では、ローラ固定部材１３０の頂部の位置がｓ12に降下するとともに押圧ローラ１４の最下面の位置がｓ22（第２押圧位置とも称す）まで降下する。
【０１７１】
この状態からさらに偏心カム１３２を反時計回りに約４５°回転させると、図１５（ｄ）の状態になる。この状態では、ローラ固定部材１３０の頂部の位置がｓ13に降下するとともに押圧ローラ１４の最下面の位置がｓ23（第３押圧位置とも称す）まで降下する。
【０１７２】
つまり、偏心カム１３２の回転位置によって、押圧ローラ１４を退避位置と３種類の押圧位置（第１押圧位置、第２押圧位置、第３押圧位置）のいずれかに選択的に移動させることができるのである。そして、押圧ローラ１４の位置がｓ21，ｓ22，ｓ23と降下する毎に、弾性支持部材３５，４５，５５，６５が当接して移動する際の弾性変形量が大きくなり、加圧値も大きくなる。
【０１７３】
この様子が、図１３に示されている。即ち、図１３に示す如く、押圧ローラ１４による押し量（即ち弾性支持部材を弾性変形させてメッシュプレス部材を下流側に移動させる移動量）が大きいほど、加圧値も大きくなっている。
【０１７４】
次に、本実施形態のクリーニング処理について、図１６に基づいて説明する。本処理において、Ｓ７１０〜Ｓ７３０の処理は、図１０におけるＳ３１０〜Ｓ３３０までの処理と全く同じであるため、ここではその説明を省略する。
【０１７５】
そして、テストパターンが正常に印刷されておらず、クリーニングが必要であるとユーザが判断してその旨を操作パネル６あるいは記述の情報処理装置にて入力したことにより、Ｓ５４０に進むと、パージ圧力が「強」、「中」、又は「弱」のいずれに設定されているかが判断される。
【０１７６】
このとき、「強」に設定されていれば、Ｓ７５０にて偏心カム１３２を図１５（ｄ）の状態に回転させることにより、押圧ローラ１４を第３押圧位置ｓ23に移動させる。また、「中」に設定されていれば、Ｓ７６０にて偏心カム１３２を図１５（ｃ）の状態に回転させることにより、押圧ローラ１４を第２押圧位置ｓ22に移動させる。また、「弱」に設定されていれば、Ｓ７７０にて偏心カム１３２を図１５（ｂ）の状態に回転させることにより、押圧ローラ１４を第１押圧位置ｓ21に移動させる。
【０１７７】
このように押圧ローラ１４を設定されたいずれかの押圧位置に移動させた後、Ｓ７８０にてキャリッジの移動が開始される。そして、全ての弾性支持部材３５，４５，５５，６５が押圧ローラ１４を通過して各ノズル３７，４７，５７，６７の回復動作が終了すると（Ｓ７９０：ＹＥＳ）、Ｓ８００にて押圧ローラを退避位置ｓ20に退避させる。そして、Ｓ８１０にて既述のワイピングを行い、さらにＳ８２０にて既述のフラッシングを行った後、記録ヘッド６９をキャップ２１でキャッピングしてこのクリーニング処理を終了する。
【０１７８】
以上説明した本実施形態によれば、押圧位置を複数種類（本例では３種類）に設定することで、回復動作時の液滴吐出量をその複数種類のいずれかに対応した量に調節することができるため、ノズルの状態に応じた適切な加圧値での回復動作が可能となり、回復動作をより効率的に行うことができる。
【０１７９】
なお、押圧ローラ１４を第１押圧位置、第２押圧位置、第３押圧位置のいずれかに移動させるための、ローラ固定部材１３０、偏心カム１３２、回転軸１３３、およびこの回転軸１３３を介して偏心カム１３２の回転を制御する回転制御装置からなる構成が、本発明の第２駆動手段に相当するものである。
【０１８０】
［他の実施形態］
以上、本発明の実施の形態について説明したが、本発明の実施の形態は、上記実施形態に何ら限定されるものではなく、本発明の技術的範囲に属する限り種々の形態を採り得ることはいうまでもない。
【０１８１】
例えば、上記各実施形態では、サブタンク３１の内部にメッシュプレス部材などからなる正圧付与部３９を設け、メッシュプレス部材３２が下流側へ移動されるときの流路抵抗によって下流側が加圧されることにより、効率的な回復動作を実現するようにしたが（他のサブタンク４１，５１，６１も同様）、例えば図１７に示すように、正圧付与部を有しない各サブタンク１４１，１４２，１４３，１４４の上部にそれぞれ弾性加圧部材１４６，１４７，１４８，１４９が形成されただけの構成としてもよい。
【０１８２】
この弾性加圧部材１４６，１４７，１４８，１４９は、基本的に上記各実施形態における弾性支持部材３５，４５，５５，６５と同じものであり、押圧ローラ１４に当接してその荷重を受けることでサブタンク内部空間側へ弾性変形し、押圧ローラ１４が離れると再び元の形状に復元する。
【０１８３】
そして、例えばサブタンク１４１が備える弾性加圧部材１４６がキャリッジ４の移動に伴って押圧ローラ１４に当接すると、弾性加圧部材１４６はサブタンク１４１の内部空間側に弾性変形し、内部空間の容積が減少する。これにより、内部空間が加圧されてその圧力がインク３６に伝わり、インク３６が下流側に押圧されて、ノズル３７からインク３６が液滴として強制的に吐出されることになる。
【０１８４】
なお、図１７（ｂ）に示すように、サブタンク１４１におけるインクカートリッジ７１からのインクが流入するインク流入口３１ａの上流側には、サブタンク内のインク３６がインクカートリッジ７１側に逆流するのを防止するための逆止弁１５０が設けられている。これにより、弾性加圧部材１４６が弾性変形して内部空間が加圧されても、インク３６が逆流するおそれがない。この逆止弁１５０は、本発明の逆流阻止手段に相当するものである。
【０１８５】
また、上記各実施形態では、インクカートリッジ７１からインク供給チューブ７２を介して、キャリッジ４に搭載されたヘッドユニット１１内のサブタンク３１へインク３６を常時供給できるよう構成された常時供給型のインクジェット記録装置７を例に挙げて説明したが、これに限らず、例えば、インク供給時のみインクカートリッジとサブタンクとをインク供給チューブで接続してインクを供給するよう構成されたステーション供給型のインクジェット記録装置に対しても適用可能である。
【０１８６】
このようなステーション供給型のインクジェット記録装置の場合、ヘッドユニットの移動中は、インクカートリッジからインクの供給を受けるためのインク流入口が密閉されるのが一般的である。そのためサブタンクには、貯蔵されたインクが記録ヘッド側に供給されていくに従って内部の負圧が増加することのないよう、内部空間を大気圧に維持するための大気連通孔を設けるのが一般的である。
【０１８７】
ステーション供給型におけるサブタンクの構成および回復動作の流れを、図１８に基づいて概略説明する。なお、図１８の回復動作の流れは、弾性加圧部材１６２の形状が異なることを除けば、図６に示した第１実施形態の回復動作の流れと基本的に同じである。
【０１８８】
図１８のサブタンク１６１は、図１７のサブタンク１４１と比較して、上部に設けられている弾性加圧部材の形状のみが異なっている。即ち、図１８に示すように、サブタンク１６１に設けられた弾性加圧部材１６２における、頂部からヘッドユニット移動方向へわずかに離れた位置に、大気連通孔１６３が形成されているのである。
【０１８９】
そして、回復動作が開始され、押圧ローラ１４が下降した後にサブタンク１６１が移動開始すると（第２ＳＴＥＰ）、弾性加圧部材１６２が押圧ローラ１４に当接し、その荷重を受けてサブタンク１６１の内部空間側へ弾性変形する（第３ＳＴＥＰ）。このとき、図１８の第３ＳＴＥＰの状態に示すように、弾性加圧部材１６２は、その大気連通孔１６３が押圧ローラ１４によって塞がれつつ弾性変形することになる。
【０１９０】
そのため、弾性変形による内部空間の加圧によって内部の気体が大気連通孔１６３から外部に漏れるのが防止され、内部空間が十分に加圧されることとなり、良好な回復動作結果を得ることができる。回復動作実行後、押圧ローラ１４が離れると（第４ＳＴＥＰ）、大気連通孔１６３は再び開放され、サブタンク１６１の内部空間は大気圧と同等に維持される。
【０１９１】
また例えば、上記各実施形態では、インクを直接加圧して正圧パージを行わせる正圧付与部３９を、複数のインク流路３２ａがメッシュ状に形成された板状部材であるメッシュプレス部材３２とこれを支持する連結部材３８とにより構成したが、この構成はあくまでも一例であり、インク３６の中を下流側へ移動させることで下流側領域を加圧でき、しかも通常の画像記録時にはインクを上流側から下流側へ供給できるようインク流路が形成されたものであれば何でもよい。一例として、同じ断面積のインク流路が同心楕円状に等間隔で形成されたものなどが挙げられる。
【０１９２】
更に、上記実施形態では、記録用紙２０への画像記録を行う記録処理の中で、必要に応じて回復動作が行われるもの、或いは、ユーザの入力操作により行われるクリーニング処理の中で必要に応じて回復動作が行われるものとして説明したが、回復動作の実行タイミングはこれに限定されるものではなく、例えば、前回回復動作を行ってから所定時間が経過する毎に回復動作を実行するようにしてもよいし、記録処理が所定回数行われる毎に回復動作を実行するようにしてもよいなど、適宜設定することができる。記録動作とは関係なく一定期間毎に実行してもよい。
【０１９３】
更にまた、本発明の適用は、上述したインクジェット記録装置に限られるものでないことはいうまでもなく、例えば、溶融半田をノズルから噴射させることによって各種プリント配線板等への半田付けを自動で行う半田付け装置や、有機ＥＬディスプレイを製造する際に、高分子有機材料（発光体）をインクジェット方式により噴射することによって有機膜を形成するための装置、或いは、樹脂をスラリー化してノズルから噴射させる装置などのように、サブタンクに貯蔵された液体をノズルから液滴として噴射するよう構成された様々な液滴噴射装置に対して適用可能である。
【図面の簡単な説明】
【０１９４】
【図１】第１実施形態の、インクジェット方式の記録装置を備えた多機能装置の外観を表す斜視図である。
【図２】図１に示す多機能装置の断面図である。
【図３】図１に示す多機能装置が具備するインクジェット記録装置の概略構成を表す説明図である。
【図４】ヘッドユニットの詳細構成を示す図であり、（ａ）は正面方向からみた場合の断面図、（ｂ）は（ａ）のＡ−Ａ断面図である。
【図５】正圧付与部を構成するメッシュプレス部材および連結部材の説明図であり、（ａ）はメッシュプレス部材の平面図と正面図、（ｂ）は連結部材の平面図と正面図である。
【図６】回復動作の流れを表す説明図である。
【図７】制御装置の概略構成を表すブロック図である。
【図８】記録処理を表すフローチャートである。
【図９】キャリッジの移動速度と加圧値との関係を表すグラフである。
【図１０】第２実施形態のクリーニング処理を表すフローチャートである。
【図１１】第３実施形態におけるヘッドユニットと押圧ローラとの相対的位置関係を説明するための説明図である。
【図１２】弾性支持部材と押圧ローラの相対的位置関係の違いによる弾性支持部材の弾性変形の違いを説明するための説明図である。
【図１３】弾性支持部材に対する押圧ローラの当接位置と加圧値との関係を表すグラフである。
【図１４】第３実施形態のクリーニング処理を表すフローチャートである。
【図１５】第４実施形態における、押圧ローラの位置の変化を説明するための説明図である。
【図１６】第４実施形態のクリーニング処理を表すフローチャートである。
【図１７】他の実施形態のヘッドユニットの詳細構成を示す図であり、（ａ）は正面方向からみた場合の断面図、（ｂ）は（ａ）のＡ−Ａ断面図である。
【図１８】他の実施形態の回復動作の流れを表す説明図である。
【符号の説明】
【０１９５】
１…多機能装置、２…スキャナ、３…給紙カセット、４…キャリッジ、６…操作パネル、７…インクジェット記録装置、８…給紙ローラ、１１…ヘッドユニット、１２…押圧ローラ駆動装置、１３…ローラ軸駆動部、１３ａ…ローラ軸、１４…押圧ローラ、１６…廃インク受皿、１８…ワイパーブレード、２０…記録用紙、２１…キャップ、２８…キャリッジモータ、３０…給紙装置、３１，４１，５１，６１，１４１，１４２，１４３，１４４，１６１…サブタンク、３１ａ…インク流入口、３１ｂ…インク流出口、３２，４２，５２，６２…メッシュプレス部材、３２ａ…インク流路、３３，４３，５３，６３…支持板、３３ａ，３３ｂ，３３ｃ，３３ｄ…貫通孔、３４，４４，５４，６４…連結軸、３５，４５，５５，６５…弾性支持部材、３６，４６，５６，６６…インク、３７…ノズル、３８…連結部材、３９…正圧付与部、６９…記録ヘッド、７１…インクカートリッジ、７２…インク供給チューブ、７３…ジョイント、１１０…制御装置、１３０…ローラ固定部材、１３２…偏心カム、１３３…回転軸、１４０…ヘッドユニット、１４６，１４７，１４８，１４９，１６２…弾性加圧部材、１５０…逆止弁、１６２…弾性加圧部材、１６３…大気連通孔
【図１】
2006240224.tif 000003
【図３】
2006240224.tif 000004
【図４】
2006240224.tif 000005
【図５】
2006240224.tif 000006
【図６】
2006240224.tif 000007
【図７】
2006240224.tif 000008
【図８】
2006240224.tif 000009
【図９】
2006240224.tif 000010
【図１０】
2006240224.tif 000011
【図１１】
2006240224.tif 000012
【図１２】
2006240224.tif 000013
【図１３】
2006240224.tif 000014
【図１４】
2006240224.tif 000015
【図１５】
2006240224.tif 000016
【図１６】
2006240224.tif 000017
【図１７】
2006240224.tif 000018
【図１８】
2006240224.tif 000019
【図２】
2006240224.tif 000020